(57)【要約】【課題】投影装置をコンパクトに収納できると共に、就寝姿勢で映像を見ることができる映像投影システムを備えた寝室を得る。【解決手段】移動機構３４によって、ベッド本体１８及び投影装置２８が、映像投影位置Ｐ１と収納位置Ｐ２とに相対移動される。そして、ベッド本体１８及び投影装置２８が映像投影位置Ｐ１に配置されている状態では、ベッド本体１８と投影装置２８とが離間され、スクリーン２６が使用者１６の就寝想定位置に対向すると共に、当該スクリーン２６に投影装置２８から投影光が照射される。一方、ベッド本体１８及び投影装置２８が収納位置Ｐ２に配置されている状態では、当該ベッド本体１８と当該投影装置２８とが近接されて当該投影装置２８が収納状態となる。このため、投影装置２８とベッド本体１８との間のスペースを狭めることができる。【選択図】図１
2016180876.tif 000002
【特許請求の範囲】
【請求項１】
使用者が横たわるベッド本体と、
寝室の天井面に配置され又は当該天井面で構成されたスクリーンと、
投影光を照射する投影装置と、
前記ベッド本体と前記投影装置とが離間されると共に前記スクリーンに前記投影光が照射されかつ当該スクリーンが前記使用者の就寝想定位置に対向する映像投影位置と、当該ベッド本体と当該投影装置とが近接されて当該投影装置が収納状態となる収納位置と、に当該ベッド本体と当該投影装置とを相対移動させる相対移動手段と、
を有する映像投影システムを備えた寝室。
【請求項２】
前記ベッド本体は、前記就寝想定位置における前記使用者の身長方向を長手方向とされて当該長手方向が前記寝室の壁面と直交するように配置されると共に、当該寝室の床面に配置された支持部に前記相対移動手段を介して当該長手方向に移動可能に支持されており、
前記投影装置は、前記壁面に配置されると共に、前記収納位置において、前記ベッド本体における当該壁面側に設けられたヘッドボードと当該壁面との間に収納されている、
請求項１に記載の映像投影システムを備えた寝室。
【請求項３】
前記ヘッドボードには、前記収納位置において前記投影装置からの前記投影光を前記使用者側に反射する反射手段が設けられると共に、
さらに、目覚まし時刻が設定される時刻設定手段と、当該目覚まし時刻までに前記投影光が照射されるように前記投影装置を制御する投影光制御手段と、を備えている、
請求項２に記載の映像投影システムを備えた寝室。
【請求項４】
さらに、前記投影装置を、前記映像投影位置において前記スクリーンに前記投影光を照射する照射姿勢と、前記収納位置において前記壁面に沿って配置される収納姿勢と、に保持可能な保持手段を備え、
前記反射手段は、前記収納姿勢において前記投影装置の天井側に配置されている、
請求項３に記載の映像投影システムを備えた寝室。
【請求項５】
前記ヘッドボードにおける前記反射手段の前記就寝想定位置側に光拡散手段が配置されている、
請求項３又は請求項４に記載の映像投影システムを備えた寝室。
【請求項６】
前記支持部は、前記長手方向に沿った支持台とされると共に、
前記相対移動手段は、前記ベッド本体と前記支持台とに介在すると共に前記長手方向に伸縮可能でかつ所定の長さで伸長が規制される伸縮手段と、当該ベッド本体の当該長手方向の変位を規制する規制手段と、を備えている、
請求項２〜請求項５の何れか１項に記載の映像投影システムを備えた寝室。
【発明の詳細な説明】
【技術分野】
【０００１】
本発明は、映像投影システムを備えた寝室に関する。
【背景技術】
【０００２】
下記特許文献１には、プロジェクタシステムに関する発明が開示されている。このプロジェクタシステムでは、部屋の中に設置された投影装置からの投影光を天井に照射して、天井に画像を投影することができる。このため、使用者は仰向けに寝た状態で天井に投影された画像を楽しむことができる。
【０００３】
また、下記特許文献２には、収納ベッド装置に関する発明が開示されている。この収納ベッド装置では、ベッドが回動して収納される収納本体に映像投射装置が配置されており、この映像投射装置によって収納本体に対向する壁面に映像を投影することができる。このため、収納本体からベッドを引き出した状態において、使用者はベッドの上で壁面に投影された映像を楽しむことができる。
【先行技術文献】
【特許文献】
【０００４】
【特許文献１】特開２００５−１７６０１７号公報（図１）
【特許文献２】特開平４−３２５１１３号公報（図２）
【発明の概要】
【発明が解決しようとする課題】
【０００５】
しかしながら、上記特許文献１に開示された先行技術による場合、投影装置が使用されていない状態でも、この投影装置は部屋の中に配置されたままとなっている。このため、上記特許文献１に開示された先行技術は、投影装置をコンパクトに収納するという観点において改善の余地がある。
【０００６】
一方、上記特許文献２に開示された先行技術による場合、部屋の壁面に映像を投影するため、使用者は上半身を起こした状態で映像を見る必要がある。つまり、上記特許文献２に開示された先行技術では、使用者は就寝姿勢で映像を見ることができない。
【０００７】
本発明は上記事実を考慮し、投影装置をコンパクトに収納できると共に、就寝姿勢で映像を見ることができる映像投影システムを備えた寝室を得ることが目的である。
【課題を解決するための手段】
【０００８】
第１の態様に係る映像投影システムを備えた寝室は、使用者が横たわるベッド本体と、寝室の天井面に配置され又は当該天井面で構成されたスクリーンと、投影光を照射する投影装置と、前記ベッド本体と前記投影装置とが離間されると共に前記スクリーンに前記投影光が照射されかつ当該スクリーンが前記使用者の就寝想定位置に対向する映像投影位置と、当該ベッド本体と当該投影装置とが近接されて当該投影装置が収納状態となる収納位置と、に当該ベッド本体と当該投影装置とを相対移動させる相対移動手段と、を有している。
【０００９】
第１の態様に係る映像投影システムを備えた寝室では、寝室の天井面に配置され又は当該天井面で構成されたスクリーンと投影光を照射する投影装置とを備えている。このため、スクリーンに投影装置から投影光を照射することで当該スクリーンに映像を表示することができる。
【００１０】
ここで、本態様では、相対移動手段によって、ベッド本体及び投影装置が、映像投影位置と収納位置とに相対移動される。そして、ベッド本体及び投影装置が映像投影位置に配置されている状態では、ベッド本体と投影装置とが離間され、スクリーンが使用者の就寝想定位置に対向すると共に、当該スクリーンに投影装置から投影光が照射される。このため、使用者は、スクリーンに映像を表示する場合には、ベッド本体に仰向けに横たわった状態でスクリーンに表示される映像を見ることができる。
【００１１】
一方、ベッド本体及び投影装置が収納位置に配置されている状態では、当該ベッド本体と当該投影装置とが近接されて当該投影装置が収納状態となる。このため、スクリーンに映像を表示しない場合には、投影装置とベッド本体との間のスペースを狭めることができる。
【００１２】
第２の態様に係る映像投影システムを備えた寝室は、第１の態様に係る映像投影システムを備えた寝室において、前記ベッド本体は、前記就寝想定位置における前記使用者の身長方向を長手方向とされて当該長手方向が前記寝室の壁面と直交するように配置されると共に、当該寝室の床面に配置された支持部に前記相対移動手段を介して当該長手方向に移動可能に支持されており、  前記投影装置は、前記壁面に配置されると共に、前記収納位置において、前記ベッド本体における当該壁面側に設けられたヘッドボードと当該壁面との間に収納されている。
【００１３】
第２の態様に係る映像投影システムを備えた寝室では、ベッド本体は、就寝想定位置における使用者の身長方向を長手方向とされて当該長手方向が寝室の壁面と直交するように配置されている。また、ベッド本体は、寝室の床面に配置された支持部に相対移動手段を介してベッド本体の長手方向に移動可能に支持されている。このため、ベッド本体を支持部によって寝室の床面に対して位置決めすることができると共に、当該ベッド本体が寝室の壁面に沿って移動する構成と比し、当該ベッド本体の移動に必要なスペースを狭めることができる。
【００１４】
さらに、投影装置が寝室の壁面に配置されると共に、収納位置において、当該投影装置がベッド本体における当該壁面側に設けられたヘッドボードと当該壁面との間に収納されている。このため、別部材を設けて投影装置を配置する場合と比し、収納位置において、投影装置を配置するのに必要なスペースを狭めることができる。
【００１５】
第３の態様に係る映像投影システムを備えた寝室は、第２の態様に係る映像投影システムを備えた寝室において、前記ヘッドボードには、前記収納位置において前記投影装置からの前記投影光を前記使用者側に反射する反射手段が設けられると共に、さらに、目覚まし時刻が設定される時刻設定手段と、当該目覚まし時刻までに前記投影光が照射されるように前記投影装置を制御する投影光制御手段と、を備えている。
【００１６】
第３の態様に係る映像投影システムを備えた寝室では、ヘッドボードに反射手段が設けられており、収納位置において投影装置からの投影光が使用者側に反射される。また、本態様では、目覚まし時刻が設定される時刻設定手段と、当該目覚まし時刻までに投影光が照射されるように投影装置を制御する投影光制御手段と、を備えている。このため、ベッド本体及び投影装置が映像投影位置に配置されている状態では、目覚まし時刻になると、スクリーンで反射された投影装置からの投影光が使用者に向かって照射される。一方、ベッド本体及び投影装置が収納位置に配置されている状態では、反射手段で反射された投影装置からの投影光が使用者に向かって照射される。
【００１７】
第４の態様に係る映像投影システムを備えた寝室は、第３の態様に係る映像投影システムを備えた寝室において、さらに、前記投影装置を、前記映像投影位置において前記スクリーンに前記投影光を照射する照射姿勢と、前記収納位置において前記壁面に沿って配置される収納姿勢と、に保持可能な保持手段を備え、前記反射手段は、前記収納姿勢において前記投影装置の天井側に配置されている。
【００１８】
第４の態様に係る映像投影システムを備えた寝室では、ベッド本体及び投影装置が映像投影位置に配置されている状態では、投影装置が保持手段によってスクリーンに投影光を照射する照射姿勢に保持される。また、ベッド本体及び投影装置が収納位置に配置されている状態では、投影装置が保持手段によって寝室の壁面に沿って配置される収納姿勢に保持される。このため、本態様では、ベッド本体及び投影装置が映像投影位置及び収納位置の何れに配置されている場合でも、投影装置をそれぞれの場合に適した位置に保持することができる。
【００１９】
また、本態様では、反射手段が、収納姿勢における投影装置の天井側に配置されているため、ベッド本体及び投影装置が収納位置に配置されている場合に、当該投影装置の建物上方側が反射手段で覆われる。
【００２０】
第５の態様に係る映像投影システムを備えた寝室は、第３の態様又は第４の態様に係る映像投影システムを備えた寝室において、前記ヘッドボードにおける前記反射手段の前記就寝想定位置側に光拡散手段が配置されている。
【００２１】
第５の態様に係る映像投影システムを備えた寝室では、ヘッドボードにおける反射手段の就寝想定位置側に光拡散手段が配置されている。このため、ベッド本体及び投影装置が収納位置に配置されている状態において、ヘッドボード側から見て投影装置が光拡散手段に覆い隠された状態となる。また、投影装置が収納位置に配置されている状態で、目覚まし時刻に使用者に向かって照射される反射手段で反射された投影装置からの投影光が、光拡散手段で拡散される。
【００２２】
第６の態様に係る映像投影システムを備えた寝室は、第２の態様〜第５の態様の何れか１態様に係る映像投影システムを備えた寝室において、前記支持部は、前記長手方向に沿った支持台とされると共に、前記相対移動手段は、前記ベッド本体と前記支持台とに介在すると共に前記長手方向に伸縮可能でかつ所定の長さで伸長が規制される伸縮手段と、当該ベッド本体の当該長手方向の変位を規制する規制手段と、を備えている。
【００２３】
第６の態様に係る映像投影システムを備えた寝室では、ベッド本体の長手方向に沿った支持台によってベッド本体を安定した状態で支持することができる。また、相対移動手段が、ベッド本体と支持台とに介在すると共にベッド本体の長手方向に伸縮可能でかつ所定の長さで伸長が規制される伸縮手段と、当該ベッド本体の当該長手方向の変位を規制する規制手段とを含んで構成されている。このため、ベッド本体を収納位置から映像投影位置に移動させるときに伸縮手段によって当該ベッド本体を所定の位置に位置決めすることができると共に、所定の位置に位置決めされたベッド本体の移動が規制手段によって規制される。
【発明の効果】
【００２４】
以上説明したように、第１の態様に係る映像投影システムを備えた寝室では、投影装置をコンパクトに収納できると共に、就寝姿勢で映像を見ることができるという優れた効果を有する。
【００２５】
第２の態様に係る映像投影システムを備えた寝室では、ベッド本体及び投影装置が、映像投影位置及び収納位置の何れに配置されている場合でも寝室の中のデッドスペースの発生を抑制することができるという優れた効果を有する。
【００２６】
第３の態様に係る映像投影システムを備えた寝室では、光によって使用者の快適な覚醒を促すことができるという優れた効果を有する。
【００２７】
第４の態様に係る映像投影システムを備えた寝室では、投影装置の収納に必要なスペースを狭めることができると共に、収納姿勢の投影装置に埃等が落ちてくるのを抑制することができるという優れた効果を有する。
【００２８】
第５の態様に係る映像投影システムを備えた寝室では、投影装置が収納位置に配置されている場合に、目覚まし時刻に使用者に照射される照明光の照度を調節できると共にヘッドボードの外観を良好に保つことができるという優れた効果を有する。
【００２９】
第６の態様に係る映像投影システムを備えた寝室では、ベッド本体の収納位置から映像投影位置への移動を簡略化することができると共に、映像投影位置におけるベッド本体の意図しない移動を抑制することができるという優れた効果を有する。
【図面の簡単な説明】
【００３０】
【図１】本実施形態に係り、収納位置における映像投影システムを備えた寝室の概略構成を示す図である。
【図２】本実施形態に係り、収納位置における映像投影システムを備えた寝室の要部を示す拡大図である。
【図３】本実施形態に係るベッド装置の詳細構成を示す拡大断面図（図２の３−３線に沿って切断した状態を示す拡大断面図）である。
【図４】本実施形態に係り、映像投影位置における映像投影システムを備えた寝室の概略構成を示す図である。
【図５】本実施形態に係り、映像投影位置におけるベッド装置の要部の構成を示す拡大図である。
【図６】本実施形態に係り、映像投影位置における映像投影システムを備えた寝室の要部を示す拡大図である。
【発明を実施するための形態】
【００３１】
以下、図１〜図６を用いて、本発明の実施形態に係る映像投影システム１０を備えた寝室１４の一例について説明する。
【００３２】
まず、寝室１４の概略構成について説明する。図１に示されるように、寝室１４内には、使用者（就寝者）１６が横たわるベッド本体１８を備えたベッド装置１２が、その長手方向を寝室１４の壁面２０に直交する方向とされて配置されている。一方、映像投影システム１０は、寝室１４の天井面２２に配置されたスクリーン２６と、壁面２０に配置された投影装置２８と、当該投影装置２８を壁面２０に取り付ける保持手段としての保持機構３０とを含んで構成されている。
【００３３】
図２及び図３も用いてベッド装置１２について説明すると、ベッド装置１２は、ベッド本体１８、支持部としての支持台３２及び相対移動手段としての移動機構３４を含んで構成されている。ベッド本体１８は、ベッドフレーム３６、ヘッドボード３８及びマットレス４０を含んで構成され、使用者１６の就寝想定位置における身長方向を長手方向とされると共にヘッドボード３８側が壁面２０側とされて配置されている。つまり、ベッド本体１８は、その長手方向が寝室１４の壁面２０に直交するように配置されており、ベッド装置１２全体の長手方向とベッド本体１８の長手方向は、同じ方向に設定されている。
【００３４】
ベッドフレーム３６は、その外周部が、ベッド本体１８の長手方向に延在する一対のサイドフレーム４２と、ベッド本体１８の短手方向に延在するフッドフレーム４４と、当該短手方向に延在するヘッドフレーム４６とを含んで、平面視で矩形枠状に構成されている。サイドフレーム４２は、ベッド本体１８の短手方向を板厚方向とされた矩形板状に形成されている。そして、サイドフレーム４２の壁面２０側の一端部４２Ａには、ヘッドフレーム４６が取り付けられており、当該一端部４２Ａと反対側の他端部４２Ｂには、フッドフレーム４４が取り付けられている。
【００３５】
フッドフレーム４４は、ベッド本体１８の長手方向を板厚方向とされた矩形板状に形成されると共に、その長手方向両側の端部における建物下方側の周縁部にゴム等の弾性体で構成された円柱状のパッド４８が取り付けられている。また、フッドフレーム４４には、ベッド本体１８の長手方向に見て、その中央部に当該ベッド本体１８の短手方向に沿った長孔５０が形成されており、当該長孔５０は後述するようにストッパ９８の操作に用いられる。
【００３６】
一方、ヘッドフレーム４６は、ベッド本体１８の長手方向を板厚方向とされると共に、当該長手方向に見て、ベッド本体１８の短手方向中央部の建物上方側に矩形状の切欠部５２が形成された凹八角形状（凹字状）の板状に形成されている。このヘッドフレーム４６の建物下方側の端部４６Ａ、より具体的には当該端部４６Ａのベッド本体１８の短手方向両側には、四角柱状の脚部５４が設けられており、当該脚部５４の先端部には、ゴム等の弾性体で構成された円柱状のパッド５６が取り付けられている。なお、ヘッドフレーム４６の端部４６Ａは、後述する支持台３２における上板８４の上面で終端すると共に、ヘッドフレーム４６は、後述するようにヘッドボード３８も構成している。
【００３７】
また、サイドフレーム４２の建物上方側の周縁部には、当該周縁部に沿って延在する四角柱状の桟部材５８が取り付けられている。一方、フッドフレーム４４の建物上方側の周縁部には、当該周縁部に沿って延在する四角柱状の桟部材６０が取り付けられている。さらに、ヘッドフレーム４６におけるフッドフレーム４４の建物上方側の周縁部と対向する箇所にも桟部材６０が取り付けられている。これらの桟部材５８、６０の建物上方側には、ベッド本体１８の短手方向に延在する矩形板状のボトムプレート６４が、ベッド本体１８の長手方向に所定の間隔をあけて複数取り付けられている。そして、ボトムプレート６４の建物上方側には、マットレス４０が載置されている。
【００３８】
ヘッドボード３８は、上述したようにベッドフレーム３６を構成するヘッドフレーム４６、側板６６及び天板６８を含んで、壁面２０及び建物下方側が開放された箱状に構成されている。ヘッドフレーム４６は、ヘッドボード３８のマットレス４０側の面を構成しており、そのベッド本体１８の短手方向の両端部における壁面２０側には、側板６６が取り付けられている。側板６６は、側面視で建物上下方向に延在する矩形の板状に形成されると共に、建物下方側の端部６６Ａがヘッドフレーム４６の端部４６Ａと同じ位置で終端している。そして、ヘッドフレーム４６及び側板６６の建物上方側には、平面視でベッド本体１８の短手方向に延在する矩形の板状に形成された天板６８が取り付けられている。
【００３９】
上記のように構成されたヘッドボード３８では、ヘッドボード３８、側板６６及び天板６８によって収納空間７０が形成されている。そして、後述する収納位置Ｐ２にベッド本体１８が配置された状態において、当該収納空間７０の建物下方側でかつベッド本体１８の短手方向の中央部に投影装置２８が収納されるようになっている。
【００４０】
一方、収納空間７０の建物上方側の部分には、２つのスピーカ７２が収納されており、より詳しくは、スピーカ７２は、正面視でヘッドフレーム４６の切欠部５２におけるベッド本体１８の短手方向両側の周縁部に沿って配置されている。このスピーカ７２には、パラメトリックスピーカといった特定の方向に音声を出力する指向性を有するスピーカが採用されており、所定の範囲にいる人にのみ音声が聞こえるようにすることができる。つまり、スピーカ７２は、当該スピーカ７２から発せられる音量がスピーカ７２の正面側（マットレス４０側）における中心軸上で最大となるようにかつ当該中心軸からベッド本体１８の短手方向に離れるにつれて小さくなるように構成されている。なお、これらのスピーカ７２の建物下方側には、図示しない支持部材が設けられており、当該支持部材によってスピーカ７２が支持されている。
【００４１】
また、スピーカ７２同士の間には、正面視で矩形の板状に形成された光拡散手段としての光拡散板７４が取り付けられている。この光拡散板７４は、当該光拡散板７４を透過する光を拡散するように構成されており、当該光拡散板７４の壁面２０側から照射される光は拡散された状態でマットレス４０側に照射されるようになっている。なお、光拡散板７４の代わりに、透明の樹脂板等に光拡散シートを貼り付けたものを用いても良い。
【００４２】
さらに、光拡散板７４の壁面２０側には、反射手段としての反射板７６が配置されている。つまり、見方を変えれば、光拡散板７４は、反射板７６に対して使用者１６の就寝想定位置側に配置されている。この反射板７６は、壁面２０に向かうに従い建物下方側に傾斜した矩形板状に構成されると共に、建物下方側に面する反射面７６Ａが鏡面加工されている。なお、反射板７６は、白色や灰色の板状部材で構成されると共に、当該部材の表面が反射面７６Ａとして用いられる構成としてもよい。
【００４３】
一方、支持台３２は、寝室１４の床面２４に載置されると共にベッド本体１８の建物下方側に配置されている。詳しくは、支持台３２は、ベッド本体１８の長手方向に延在する一対の側板７８、ベッド本体１８の短手方向に延在する前板８０、同じく当該短手方向に延在する後板８２、支持台３２の上面部を構成する上板８４及び脚部８６を含んで構成されている。
【００４４】
側板７８は、ベッド本体１８の短手方向を板厚方向とされた矩形板状に形成されると共に、支持台３２におけるベッド本体１８の短手方向両側に配置されている。前板８０及び後板８２は、それぞれベッド本体１８の長手方向を板厚方向とされた矩形板状に形成されると共に、後板８２が側板７８の壁面２０側の一端部７８Ａに取り付けられ、前板８０が側板７８の一端部７８Ａと反対側の他端部７８Ｂに取り付けられている。脚部８６は、四角柱状に形成されると共に、側板７８、前板８０及び後板８２で構成される建物下方側の４箇所の隅部にそれぞれ取り付けられている。上板８４は、ベッド本体１８の短手方向に延在する矩形板状に形成されると共に、側板７８、前板８０及び後板８２の建物上方側にベッド本体１８の長手方向に所定の間隔をあけて複数取り付けられている。そして、上述したベッド本体１８と支持台３２とは、伸縮手段としてのスライドレール８８と規制手段としてのスライドロック機構９０と含んで構成された移動機構３４によって相対移動可能とされている。
【００４５】
スライドレール８８は、ベッド本体１８の短手方向両側において、ベッド本体１８のサイドフレーム４２と支持台３２の側板７８との間に介在すると共に、ベッド本体１８の長手方向に所定の間隔をあけて２つずつ配置されている。つまり、ベッド本体１８と支持台３２とは、二対のスライドレール８８によって連結されている。これらのスライドレール８８は、図５にも示されるように、インナーチャンネル９２、アウターチャンネル９４及びインターチャンネル９６を含んで構成されている。
【００４６】
より詳しくは、インナーチャンネル９２は、鋼材で構成されてベッド本体１８の長手方向に延在すると共に、インターチャンネル９６に挿入可能に構成されている。このインナーチャンネル９２は、サイドフレーム４２の建物下方側の部分におけるヘッドフレーム４６側とフッドフレーム４４側とにそれぞれ配置されると共に、図示しないビス等の取付部材によって当該サイドフレーム４２に取り付けられている。
【００４７】
一方、アウターチャンネル９４は、鋼材で構成されてベッド本体１８の長手方向に延在すると共に、インターチャンネル９６を挿入可能に構成されている。このアウターチャンネル９４は、側板７８の建物上下方向中央部における前板８０側と後板８２側とにそれぞれ配置されると共に、図示しないビス等の取付部材によって当該側板７８に取り付けられている。
【００４８】
そして、インターチャンネル９６は、鋼材で構成されてベッド本体１８の長手方向に延在すると共に、インナーチャンネル９２を挿入可能にかつアウターチャンネル９４に挿入可能に構成されている。このインターチャンネル９６は、インナーチャンネル９２が挿入されると共に、アウターチャンネル９４に挿入されており、図示しないボールベアリングによって、インナーチャンネル９２及びアウターチャンネル９４に対し、スライド移動可能とされている。これにより、スライドレール８８は、ベッド本体１８の長手方向に伸縮可能となっている。さらに、スライドレール８８は、図示しない規制手段としてのレールロック機構を備えている。これにより、スライドレール８８が伸びることでベッド本体１８が支持台３２に対してスライド長さＬだけスライド移動するとロックされて、ベッド本体１８が壁面２０から離れる方向の変位が規制されるようになっている。
【００４９】
一方、図２に示されるように、支持台３２の前板８０には、規制手段としてのスライドロック機構９０が設けられている。このスライドロック機構９０は、ストッパ９８と図示しないレール部を含んで構成されている。ストッパ９８は、前板８０に沿って延在する矩形板状のストッパ本体部１００と、当該ストッパ本体部１００の建物下方側の端部に沿って延在すると共にゴム等の弾性体で構成された四角柱状のパッド１０２とを含んで構成されている。なお、パッド１０２は、図示しないビス等の取付手段によってストッパ本体部１００に取り付けられている。
【００５０】
また、レール部は、ストッパ本体部１００のベッド本体１８の短手方向の両端部に沿って配置されており、当該レール部によってストッパ９８が建物上下方向にスライド移動可能に支持されている。さらに、ストッパ本体部１００には、フッドフレーム４４の長孔５０と同形状の長孔１０４が形成されており、ストッパ９８が建物下方側に降ろされてパッド１０２が床面２４に接触した状態では、長孔５０と長孔１０４との中心とは、ずれた状態となっている。そして、図５に示されるように、長孔５０及び長孔１０４に手１６Ａを差し込んで長孔５０と長孔１０４との中心が一致した状態となるまでストッパ９８が持ち上げられた状態では、パッド１０２が床面２４と非接触の状態となる。従って、上記構成のスライドロック機構９０では、ストッパ９８が建物下方側に降ろされた状態では、ベッド本体１８の変位が規制される。一方、ストッパ９８が持ち上げられた状態では、ベッド本体１８の変位が許容され、手１６Ａでベッド本体１８を引くか押すことで当該ベッド本体１８を変位させることが可能となっている。
【００５１】
次に、図４及び図６を主に用いて映像投影システム１０について説明する。スクリーン２６は、入射した光をほぼ全て拡散反射する特性を有しており、寝室１４の天井面２２に沿って配置されている。なお、天井面２２に白色の天井クロスやスクリーン素材等を張ることによりスクリーン２６を構成してもよい。また、スクリーン２６は、ビーズスクリーンやパールスクリーンとして構成されていてもよい。
【００５２】
投影装置２８は、後述するように保持機構３０を介して壁面２０に取り付けられている。この投影装置２８は、直方体状の筐体に、スクリーン２６に映像を投影（表示）する投影部２８Ａと当該投影部を制御する制御部とが設けられて構成されており、後述するように制御装置から制御部への指示に基づき投影光を照射するようになっている。
【００５３】
制御装置は、投影光制御手段としての投影光制御部と時刻設定手段としての時刻設定部とを含んで構成されており、この制御装置によって映像投影システム１０は、照明モード及び映像モードの２つの（複数の）モードが設定されている。投影光制御部は、投影装置２８の制御部に接続されており、後述する映像投影位置Ｐ１において、投影装置２８を制御することによって、スクリーン２６への映像の表示や、スクリーン２６への照明光の照射を行う。具体的には、投影光制御部は、映像モードの場合には、例えば、図示しないＡＶ機器等からの映像等をスクリーン２６に表示させる。また、照明モードの場合には、投影光制御部は、投影装置２８からスクリーン２６に投影光を照射させることにより、投影装置２８及びスクリーン２６を間接照明として機能させることができる。なお、後述する収納位置Ｐ２において、投影装置２８は、間接照明としてのみ機能する。
【００５４】
一方、時刻設定部は、使用者１６の起床する目覚まし時刻を記憶すると共に、時刻を監視し、当該目覚まし時刻に近づくと投影光制御部に信号を送るように設定されている。そして、投影光制御部は、時刻設定部からの信号を受信すると、投影装置２８から投影光が照射されるように当該投影装置２８を制御する。
【００５５】
保持機構３０は、壁面固定ブラケット１０６、可動プレート１０８、上側固定ブラケット１１０及び下側支持ベルト１１２を含んで構成されている。壁面固定ブラケット１０６は、矩形板状に形成された本体部１０６Ａと、当該本体部１０６Ａの建物下方側の端部に設けられると共にベッド本体１８の短手方向を軸方向とされた円柱状の軸部１０６Ｂと、を含んで構成されている。この壁面固定ブラケット１０６は、図示しないビス等の取付手段によって壁面２０に取り付けられている。
【００５６】
可動プレート１０８は、矩形板状に形成された本体部１０８Ａと、当該本体部１０８Ａに設けられた一対の円筒状の軸受部１０８Ｂと、を含んで構成されている。この可動プレート１０８は、壁面固定ブラケット１０６の軸部１０６Ｂが、当該可動プレート１０８の軸受部１０８Ｂに挿通されることにより、壁面固定ブラケット１０６に対して軸部１０６Ｂ回りに相対回転可能に軸支されている。なお、以下では、壁面固定ブラケット１０６に対する可動プレート１０８の回動時において、可動プレート１０８が壁面固定ブラケット１０６に対して離間する方向（図６の矢印Ａ方向）を開方向と称する。また、可動プレート１０８が壁面固定ブラケット１０６に対して接近する方向（図６の矢印Ｂ方向）を閉方向と称する。
【００５７】
上側固定ブラケット１１０は、壁面固定ブラケット１０６の本体部１０６Ａの長手方向に見て当該本体部１０６Ａ側が開放されると共に投影装置２８を挿入可能なコ字状に屈曲された板材で形成され、当該本体部１０６Ａの建物上方側の端部に一体に設けられている。また、上側固定ブラケット１１０のベッド本体１８側には、一対のローラ１１４が取り付けられている。そして、投影装置２８は、上側固定ブラケット１１０と壁面固定ブラケット１０６の本体部１０６Ａとの間に挿入される共に、その建物上方側が上側固定ブラケット１１０で、その建物下方側が下側支持ベルト１１２でそれぞれ支持されている。
【００５８】
また、壁面固定ブラケット１０６の本体部１０６Ａには、線状の本体部１１６Ａと、当該本体部１１６Ａに所定の間隔で形成された球状の係止部１１６Ｂとを含んで構成された数珠状の係止部材１１６が設けられている。一方、可動プレート１０８には、係止部材１１６に対応する切欠部１１８が形成されている。このため、切欠部１１８に係止部材１１６の長さを調節して係止することで可動プレート１０８が壁面固定ブラケット１０６に対して開方向に回動したときの回動角度を調整することができ、ひいては投影装置２８の壁面２０に対する回動角度も調整することができる。
【００５９】
上記構成の映像投影システム１０及びベッド装置１２では、映像投影位置Ｐ１と収納位置Ｐ２とをとることが可能となっている。具体的に説明すると、図４に示されるように、映像投影位置Ｐ１ではベッド本体１８が投影装置２８から離れる方向に変位されると共に、投影装置２８が開方向に回動される。このとき、投影装置２８は、当該投影装置２８からの投影光がスクリーン２６に照射される照射姿勢に支持されると共に、スクリーン２６は、使用者１６の就寝想定位置に対向するようになっている。そして、映像投影位置Ｐ１の状態から、ベッド本体１８を投影装置２８に近づける方向に変位させていくと、上側固定ブラケット１１０のローラ１１４がベッド本体１８のヘッドフレーム４６に当接されつつ投影装置２８が閉方向に回動される。その結果、図１に示されるようにベッド本体１８及び投影装置２８が収納位置Ｐ２に配置される。このとき、ベッド本体１８と投影装置２８が近接されると共に、当該投影装置２８は、壁面２０に沿って配置される収納姿勢となっている。そして、投影装置２８からの投影光は、スクリーン２６に照射されず、反射板７６によって使用者１６に照射されるようになっている。
【００６０】
＜本実施形態の作用及び効果＞
次に、本実施形態の作用並びに効果を説明する。
【００６１】
本実施形態では、図４に示されるように、寝室１４の天井面２２に配置され又は当該天井面２２で構成されたスクリーン２６と投影光を照射する投影装置２８とを備えている。このため、スクリーン２６に投影装置２８から投影光を照射することで当該スクリーン２６に映像を表示することができる。
【００６２】
ここで、本実施形態では、移動機構３４によって、ベッド本体１８及び投影装置２８が、映像投影位置Ｐ１と収納位置Ｐ２とに相対移動される。そして、ベッド本体１８及び投影装置２８が映像投影位置Ｐ１に配置されている状態では、ベッド本体１８と投影装置２８とが離間され、スクリーン２６が使用者１６の就寝想定位置に対向すると共に、当該スクリーン２６に投影装置２８から投影光が照射される。このため、使用者は、スクリーン２６に映像を表示する場合には、ベッド本体１８に仰向けに横たわった状態でスクリーン２６に表示される映像を見ることができる。
【００６３】
一方、ベッド本体１８及び投影装置２８が収納位置Ｐ２に配置されている状態では、当該ベッド本体１８と当該投影装置２８とが近接されて当該投影装置２８が収納状態となる。このため、スクリーン２６に映像を表示しない場合には、投影装置２８とベッド本体１８との間のスペースを狭めることができる。従って、本実施形態では、投影装置２８をコンパクトに収納できると共に、就寝姿勢で映像を見ることができる。
【００６４】
また、本実施形態では、ベッド本体１８は、就寝想定位置における使用者１６の身長方向を長手方向とされて当該長手方向が寝室１４の壁面２０と直交するように配置されている。また、ベッド本体１８は、寝室１４の床面２４に配置された支持台３２に移動機構３４を介してベッド本体１８の長手方向に移動可能に支持されている。このため、ベッド本体１８を支持台３２によって寝室の床面に対して位置決めすることができると共に、当該ベッド本体１８が壁面２０に沿って移動する構成と比し、当該ベッド本体１８の移動に必要なスペースを狭めることができる。従って、本実施形態では、ベッド本体１８及び投影装置２８が、映像投影位置Ｐ１及び収納位置Ｐ２の何れに配置されている場合でも寝室１４の中のデッドスペースの発生を抑制することができる。
【００６５】
また、本実施形態では、ヘッドボード３８に反射板７６が設けられており、収納位置Ｐ２において投影装置２８からの投影光が使用者１６側に反射される。また、本実施形態では、目覚まし時刻が設定される時時刻設定部と、当該目覚まし時刻までに投影光が照射されるように投影装置２８を制御する投影光制御部と、を備えている。このため、ベッド本体１８及び投影装置２８が映像投影位置Ｐ１に配置されている状態では、目覚まし時刻になると、スクリーン２６で反射された投影装置２８からの投影光が使用者に向かって照射される。なお、スクリーン２６に日の出等の映像が投影されるように投影装置２８を制御してもよい。
【００６６】
一方、ベッド本体１８及び投影装置２８が収納位置Ｐ２に配置されている状態では、反射板７６で反射された投影装置２８からの投影光が使用者１６に向かって照射される。従って、本実施形態では、光によって使用者１６の快適な覚醒を促すことができる。
【００６７】
また、本実施形態では、ベッド本体１８及び投影装置２８が映像投影位置Ｐ１に配置されている状態では、投影装置２８が保持機構３０によってスクリーン２６に投影光を照射する照射姿勢に保持される。また、ベッド本体１８及び投影装置２８が収納位置Ｐ２に配置されている状態では、投影装置２８が保持機構３０によって寝室１４の壁面２０に沿って配置される収納姿勢に保持される。このため、本実施形態では、ベッド本体１８及び投影装置２８が映像投影位置Ｐ１及び収納位置Ｐ２の何れに配置されている場合でも、投影装置２８をそれぞれの場合に適した位置に保持することができる。従って、本実施形態では、投影装置２８の収納に必要なスペースを狭めることができると共に、収納姿勢の投影装置２８に埃等が落ちてくるのを抑制することができる。
【００６８】
また、本実施形態では、ヘッドボード３８における反射板７６の就寝想定位置側に光拡散板７４が配置されている。このため、ベッド本体１８及び投影装置２８が収納位置Ｐ２に配置されている状態において、ヘッドボード３８側から見て投影装置２８が光拡散板７４に覆い隠された状態となる。また、投影装置２８が収納位置Ｐ２に配置されている状態で、目覚まし時刻に使用者１６に向かって照射される反射板７６で反射された投影装置２８からの投影光が、光拡散板７４で拡散される。従って、本実施形態では、投影装置２８が収納位置Ｐ２に配置されている場合に、目覚まし時刻に使用者１６に照射される照明光の照度を調節できると共にヘッドボード３８の外観を良好に保つことができる。
【００６９】
また、本実施形態では、ベッド本体１８の長手方向に沿った支持台３２によってベッド本体１８を安定した状態で支持することができる。さらに、移動機構３４が、ベッド本体１８と支持台３２とに介在すると共にベッド本体１８の長手方向に伸縮可能でかつ所定の長さで伸長が規制されるスライドレール８８と、ベッド本体１８の長手方向の変位を規制するスライドロック機構９０とを含んで構成されている。このため、ベッド本体１８を収納位置Ｐ２から映像投影位置Ｐ１に移動させるときにスライドレール８８によってベッド本体１８を所定の位置に位置決めすることができる。また、所定の位置に位置決めされたベッド本体１８の移動をスライドロック機構９０によって規制することができる。従って、本実施形態では、ベッド本体１８の収納位置Ｐ２から映像投影位置Ｐ１への移動を簡略化することができると共に、映像投影位置Ｐ１におけるベッド本体１８の意図しない移動を抑制することができる。
【００７０】
また、本実施形態では、ベッド本体１８及び投影装置２８が映像投影位置Ｐ１に配置された状態では、使用者１６と投影装置２８とが隔離された状態となる。このため、本実施形態では、投影装置２８の作動音によって使用者１６の快適な覚醒が妨げられることを抑制することができる。
【００７１】
加えて、本実施形態では、スピーカ７２が特定の方向に音声を出力する指向性を有しているため、映像をスクリーン２６に表示させるときに使用者１６以外に音声が拡散されることを抑制することができる。
【００７２】
＜上記実施形態の補足説明＞
（１）  上述した実施形態では、伸縮手段としてスライドレール８８を採用したが、これに限らず、テレスコピック機構を採用してもよい。また、移動機構３４の構成も上記のもの限らない。一例として、支持台３２の代わりにベッド本体１８の長手方向に延在するレールを床面２４に配置すると共に、ベッド本体１８にキャスターを設ける構成としてもよい。また、この構成を採用する場合には、キャスターの車輪を規制可能なストッパを設けることでベッド本体１８の変位を規制するようにしてもよい。
【００７３】
（２）  また、上述した実施形態では、ベッド本体１８が投影装置２８に対して移動する構成とされていたが、投影装置２８がベッド本体１８に対して移動する構成としてもよい。また、投影装置２８の配置箇所もベッド本体１８のヘッドボード３８側に限らず、フッドフレーム４４側やベッド本体１８の短手方向側に設定されていてもよい。
【００７４】
（３）  さらに、上述した実施形態では、収納位置Ｐ２において投影装置２８が収納姿勢に配置される構成とされていたが、投影装置２８の形状に応じて照射姿勢で固定される構成としてもよい。
【符号の説明】
【００７５】
１０      映像投影システム
１４      寝室
１６      使用者
１８      ベッド本体
２０      壁面
２２      天井面
２６      スクリーン
３０      保持機構（保持手段）
３２      支持台（支持部）
３４      移動機構（相対移動手段）
３８      ヘッドボード
７４      光拡散板（光拡散手段）
７６      反射板（反射手段）
８８      スライドレール（伸縮手段）
９０      スライドロック機構（規制手段）
【図１】
2016180876.tif 000003
【図２】
2016180876.tif 000004
【図３】
2016180876.tif 000005
【図４】
2016180876.tif 000006
【図５】
2016180876.tif 000007
【図６】
2016180876.tif 000008